(57)【要約】【課題】この発明は、確実且つ効率良く特殊紙に対する画像形成が可能な画像形成装置、および画像形成方法を提供することを課題とする。【解決手段】プリンタは、印刷ジョブを受信する受信部５、受信した印刷ジョブを記憶する記憶部６、特殊印刷を含む印刷ジョブのリストを表示する表示部３、表示部３とともにタッチパネル式の操作パネル１１を形成した入力部４、および制御部２を有する。表示部３を介して表示されたリストから入力部４を介して１つの印刷ジョブが選択され、この印刷ジョブに含まれる特殊印刷に関する印刷条件の変更入力が入力部４を介して受け付けられる。【選択図】　　　図２
2004025550.tif 000002
【特許請求の範囲】
【請求項１】
特殊印刷を含む印刷ジョブを記憶する記憶部と、
記憶部から抽出した印刷ジョブに含まれる特殊印刷に関する印刷条件の変更入力を受け付ける入力部と、
記憶部から抽出した印刷ジョブをそのまま実行するとともに、入力部を介して印刷条件の変更入力を受け付けた特殊印刷を含む印刷ジョブを実行する印刷部と、
印刷部において実行予定の印刷ジョブに含まれる特殊印刷だけを試しに少なくとも一枚だけ印刷する試し印刷キーと、
を備えていることを特徴とする画像形成装置。
【請求項２】
特殊印刷は、普通紙以外の特殊紙に対する印刷であることを特徴とする請求項１に記載の画像形成装置。
【請求項３】
特殊紙は、タブ紙であることを特徴とする請求項２に記載の画像形成装置。
【請求項４】
印刷ジョブを受信する受信部と、
受信した印刷ジョブを記憶する記憶部と、
記憶部から抽出した印刷ジョブを実行する印刷部と、
受信部で受信した印刷ジョブが特殊印刷を含むか否かを判別する判別部と、
判別部で特殊印刷を含むことが判断された印刷ジョブのリストを表示する表示部と、
表示したリストから利用者による印刷ジョブの選択を受け付けるとともに、当該印刷ジョブに含まれる特殊印刷に関する印刷条件の変更入力を受け付ける入力部と、
印刷部において実行予定の印刷ジョブに含まれる特殊印刷だけを試しに少なくとも一枚だけ印刷する試し印刷キーと、
入力部を介して利用者によって選択された印刷ジョブを記憶部から抽出してそのまま印刷部に実行させるとともに、入力部を介して印刷条件の変更入力を受け付けた特殊印刷を含む印刷ジョブを印刷部に実行させる制御部と、
を備えていることを特徴とする画像形成装置。
【請求項５】
制御部は、特殊印刷を含まない印刷ジョブを記憶部から抽出して印刷部に実行させることを特徴とする請求項４に記載の画像形成装置。
【請求項６】
特殊印刷は、普通紙以外の特殊紙に対する印刷であることを特徴とする請求項４に記載の画像形成装置。
【請求項７】
特殊紙は、タブ紙であることを特徴とする請求項６に記載の画像形成装置。
【請求項８】
特殊印刷を含む印刷ジョブを記憶部から抽出し、
抽出した印刷ジョブに含まれる特殊印刷に関する印刷条件の変更入力を受け付け、
印刷条件の変更入力を受け付けた特殊印刷を試しに少なくとも一枚だけ印刷し、
試しに印刷した特殊印刷を含む印刷ジョブを実行することを特徴とする画像形成方法。
【請求項９】
特殊印刷は、普通紙以外の特殊紙に対する印刷であることを特徴とする請求項８に記載の画像形成方法。
【請求項１０】
特殊紙は、タブ紙であることを特徴とする請求項９に記載の画像形成方法。
【発明の詳細な説明】
【０００１】
【発明の属する技術分野】
この発明は、普通紙以外の特殊紙に対する画像形成が可能な画像形成装置、および画像形成方法に関する。
【０００２】
【従来の技術】
近年、普通紙以外の特殊紙、例えばタブ紙に対する画像形成が可能な画像形成装置が普及されつつある。この種の装置では、タブの位置および幅に合わせて画像をずらし、タブ紙に画像を形成する。
【０００３】
この種の画像形成装置として、例えば、特開２００２−１９２４３に開示された装置が知られている。この公報に開示された装置では、タブ分割数、画像移動量、タブ紙を挿入するページ等を操作パネルを介して予め設定可能となっている。また、この装置は、試しコピーキーにより、複数部あるうちの一部を試しコピーする機能を備えている。
【０００４】
【発明が解決しようとする課題】
しかし、タブ紙に画像を形成する場合、画像の移動量を設定するのが難しく、例えば、アプリケーションソフトによって余白の処理内容が異なったり、タブ紙を給紙するカセットの位置によってタブ紙の搬送位置にずれを生じたりしてしまい、画像の移動量をうまく設定するのが困難であった。
【０００５】
このため、上述した公報に開示された装置のように、試しコピーキーにより一部を実際に試しコピーして画像のずれを確認することにより、タブ紙に対する画像の移動量を調整することができるが、この方法だと、試しコピーした画像がタブ紙に対してずれを生じてしまうと、試しコピーしたタブ紙を含む全ての用紙が無駄になってしまう問題があった。
【０００６】
この発明は、以上の点に鑑みなされたもので、その目的は、確実且つ効率良く特殊紙に対する画像形成が可能な画像形成装置、および画像形成方法を提供することにある。
【０００７】
【課題を解決するための手段】
上記目的を達成するために、本発明の画像形成装置は、記憶部から印刷ジョブを抽出し、この印刷ジョブに含まれる特殊印刷に関する印刷条件の変更入力を受け付ける。印刷部は、記憶部から抽出した印刷ジョブをそのまま実行するとともに、入力部を介して印刷条件の変更入力を受け付けた特殊印刷を含む印刷ジョブを実行する。そして、試し印刷キーにより、印刷部において実行予定の印刷ジョブに含まれる特殊印刷だけを試しに少なくとも一枚だけ印刷する。
【０００８】
【発明の実施の形態】
以下、図面を参照しながらこの発明の実施の形態について詳細に説明する。
【０００９】
図１には、この発明の実施の形態に係るプリンタ１（画像形成装置）に複数台のパソコン１０をネットワーク接続した印刷システム１００を示してある。
【００１０】
利用者は、パソコン１０を操作して、画像や文字などの印刷に必要なデータを入力し、入力したデータに基づく印刷を実行させるためのコマンドを印刷ジョブとしてプリンタ１に送信する。プリンタ１は、各パソコン１０から送信された印刷ジョブを受信して記憶するとともに、基本的に受信した順番で印刷ジョブを実行する。
【００１１】
図２には、プリンタ１の構成要素をブロック図にして示してある。
【００１２】
プリンタ１は、プリンタ１の動作を制御する制御部２を有する。制御部２には、表示部３としての機能と入力部４としての機能を有するタッチパネル式の操作パネル１１、パソコン１０から送信される印刷ジョブを受信する受信部５、受信した印刷ジョブを記憶する記憶部６、印刷ジョブに含まれるページデータを必要に応じて加工する画像処理部７、印刷ジョブを実行する印刷部８、および印刷部８へ用紙を給紙する給紙部９を有する。
【００１３】
給紙部９は、２つの給紙カセット９ａ、９ｂ（図１参照）、および図示しない手差しトレイを有し、各給紙カセットおよび手差しトレイの用紙の有無を検知するためのセンサ９０を有する。給紙カセット９ａ、９ｂ、および手差しトレイには、普通紙の他に、タブ紙などの特殊紙をセットできる。タブ紙とは、長方形の用紙の１辺からタブが一体的に突出した紙のことを言う。特殊紙には、タブ紙の他に、厚紙や他国（アメリカや中国）の紙などがある。
【００１４】
制御部２は、本発明の判別部としても機能し、受信部５を介して受信した印刷ジョブにタブ紙などの特殊紙に対する印刷（以下、このような印刷を特殊印刷と称する）が含まれているか否かを判別する。尚、ここでは、普通紙に対する印刷と比較してジャムを生じ易い特殊な印刷のことを特殊印刷とする。
【００１５】
記憶部６は、受信部５を介して各パソコン１０から受信した全ての印刷ジョブを記憶する。特に、制御部２で特殊印刷を含むことが判別された特定の印刷ジョブを特殊印刷を含まない印刷ジョブと区別して記憶する。
【００１６】
表示部３は、例えば、記憶部６に記憶した印刷ジョブのうち、制御部２で特殊印刷を含むことが判別された特定の印刷ジョブの一覧表（リスト）を表示する。リストを表示する方法としては、印刷ジョブ名を表示する方法以外に、各パソコン１０のユーザ名を表示する方法などが考えられる。また、表示部３は、特殊紙に対する印刷条件の変更入力を受け付けるための後述する複数の入力画面を切り換え表示する。
【００１７】
入力部４は、利用者による各種操作入力を受け付ける。利用者は、例えば、表示部３を介して表示されているリストの中から実行させたい印刷ジョブを選択し、入力部４を介して入力する。ここでは、表示部３および入力部４は、タッチパネル式の操作パネル１１となっているため、表示部３を介して表示されている項目に利用者が触れることにより入力操作がなされる。
【００１８】
画像処理部７は、例えば、タブ紙に対する印刷時に、印刷するページデータをタブの分だけずらす。或いは、給紙部９が、タブ紙の給紙タイミングをタブの分だけずらすようにしても良い。
【００１９】
印刷部８は、給紙部９から給紙される用紙（タブ紙を含む）上に、記憶部６から読み出した印刷ジョブに含まれるページデータにある画像や文字を印刷する。また、印刷部８は、入力部を介して印刷条件の変更入力を受け付けた特殊印刷を含む印刷ジョブを実行する。さらに、印刷部８は、後述する“試し印刷”ボタン３１により、印刷ジョブに含まれる特殊印刷だけを選択的に印刷する。
【００２０】
次に、上述したプリンタ１の動作について、図３〜図５に示すフローチャートとともに、図６〜図９に示す操作パネル１１の画面例を参照して説明する。
【００２１】
まず、図３に示すように、ネットワークを介してパソコン１０からプリンタ１に印刷ジョブが送信されると（ステップ１；ＹＥＳ）、プリンタ１は、受信部５を介して当該印刷ジョブを受信する（ステップ２）。受信した印刷ジョブは、記憶部６に記憶される。
【００２２】
ステップ２の受信処理では、図５に示すように、プリンタ１は、まず、送信元のパソコン１０から送られる印刷ジョブの送信開始通知を受信する（ステップ２１）。続いて、当該印刷ジョブの内容を示すインデックスデータ（以下、ジョブインデックスと称する）を受信する（ステップ２２）。続いて、当該印刷ジョブに含まれる１枚目のページデータの送信開始通知を受信する（ステップ２３）。続いて、当該ページデータの内容を示すインデックスデータ（以下、ページインデックスと称する）を受信する（ステップ２４）。続いて、当該ページデータを受信する（ステップ２５）。続いて、当該ページデータの送信終了通知を受信する（ステップ２６）。そして、２ページ目以降のページデータがある場合（ステップ２７；ＹＥＳ）、ステップ２３〜２６の処理をページ分だけ繰り返し、２ページ目以降のページデータを受信する。さらに、ステップ２７で次のページデータが無いことが判断されると（ステップ２７；ＮＯ）、当該印刷ジョブの送信終了通知を受信して動作を終了する（ステップ２８）。
【００２３】
そして、ステップ２（すなわちステップ２１〜２８）の受信処理時に、制御部２にて、受信した印刷ジョブに特殊印刷が含まれているか否かが判別される（ステップ３）。ステップ３で当該印刷ジョブに特殊印刷が含まれていないことが判別されると（ステップ３；ＮＯ）、当該印刷ジョブが記憶部６から読み出されて印刷部８で即座に実行されて通常の印刷処理がなされる（ステップ４）。
【００２４】
一方、ステップ３で当該印刷ジョブに特殊印刷が含まれていることが判別されると（ステップ３；ＹＥＳ）、当該印刷ジョブは実行されずに記憶部６に保持される（ステップ５）。つまり、特殊印刷を含む印刷ジョブは、実行されないまま記憶部６に蓄積される。
【００２５】
そして、記憶部６に記憶した特殊印刷を含む印刷ジョブのリストが表示部３を介して表示される（ステップ６）。このように特殊印刷を含む印刷ジョブが表示部３を介して一覧表示された状態で、利用者による印刷ジョブの実行指示が待たれる。
【００２６】
この状態で、図４に示すように、プリンタ１の入力部４を介して利用者によって印刷ジョブの実行指示（すなわち、選択した印刷ジョブの項目に触れる行為）がなされると（ステップ７；ＹＥＳ）、図６に示す画面が表示部３を介して切り換え表示される。ここでは、ステップ７で選択された印刷ジョブに特殊印刷としてタブ紙に対する印刷が含まれているものとする。
【００２７】
この状態で、“変更する”ボタン２１が入力されると（ステップ８；ＹＥＳ）、図７および図８に示す画面が表示部３を介して順次表示され、入力部４を介して利用者による印刷条件の変更入力がなされる（ステップ９）。つまり、図７の画面が表示されたとき、テンキー２４を介してタブの幅が入力され、“ＯＫ”ボタン２５（ステップ１０；ＹＥＳ）により設定値が確定となる。また、図８の画面が表示されたとき、テンキー２７を介して画像のずらし量が入力され、“ＯＫ”ボタン２８（ステップ１０；ＹＥＳ）により設定値が確定となる。一方、各画面が表示されている状態で、“取消し”ボタン２６、２９が入力されると（ステップ１０；ＮＯ）、ステップ８の処理に戻って図６の画面が再度表示される。
【００２８】
一方、図６の画面が表示されている状態で“変更しない”ボタン２２が入力されると（ステップ８；ＮＯ）、或いは図８の画面が表示されている状態で“ＯＫ”ボタン２８が入力されると（ステップ１０；ＹＥＳ）、図９に示す画面が表示部３を介して代わりに表示される。
【００２９】
この状態で、“試し印刷”ボタン３１（試し印刷キー）が利用者によって入力されると（ステップ１１；ＹＥＳ）、ステップ９で変更入力したタブの幅および画像のずらし量に基づいて、１枚目のタブ紙に対する試し印刷がなされる（ステップ１２）。このとき、試し印刷するタブ紙の枚数は、任意に設定可能であり、プリンタ１毎に予め設定されている。本実施の形態では、“試し印刷”ボタン３１が入力されたとき、１枚目のタブ紙に対する試し印刷だけを自動的に実行するようにした。
【００３０】
そして、ステップ１２で試し印刷した後、図６の画面が再度表示され、タブ紙が利用者によって確認されて、印刷条件の再設定が可能となる。
【００３１】
一方、図９の画面が表示されている状態で、“試し印刷”ボタン３１が入力される代わりに“全文印刷”ボタン３２が入力されると（ステップ１１；ＮＯ、ステップ１３；ＹＥＳ）、ステップ７で実行指示を受けた印刷ジョブにステップ９の変更入力を含む印刷ジョブが実行され、タブ紙を含む全ての用紙に対する印刷がなされる（ステップ１４）。
【００３２】
この後、ステップ１４で実行された印刷ジョブに関するジョブデータを削除するか否かを利用者が判断するための画面（図示せず）が表示部３を介して表示され、当該ジョブデータが選択的に削除される（ステップ１５、１６）。
【００３３】
尚、ステップ１１で図９の画面が表示されている状態で、“戻る”ボタン３３が入力されると、図７の画面が表示されて印刷条件の再設定が可能となる。
【００３４】
以上のように、本実施の形態によると、プリンタ１は、タブ紙などの特殊紙に対する印刷を含む印刷ジョブを受信したとき、当該印刷ジョブを即座に実行せずに記憶部６に記憶して表示部３を介して表示するようにした。そして、利用者によって入力部４を介して当該印刷ジョブの実行指示がなされたことを条件に、当該印刷ジョブを記憶部６から読み出して印刷部８で実行するようにした。
【００３５】
このため、当該印刷ジョブに使用する例えばタブ紙などの特殊紙が準備されていなかったり、特殊紙に印刷する際にジャムを生じたりしたとき、プリンタ１のそばに利用者がいるため、直ぐに対処できる。従って、用紙無しやジャムに気づかずに後続の印刷ジョブが待たされる時間を極めて少なくでき、プリンタの稼働率を高くできる。
【００３６】
また、プリンタ１の記憶部６に特殊印刷を含む印刷ジョブを保持してリストを表示するようにしたため、利用者は適当なタイミングでプリンタ１まで行って印刷ジョブを実行させることができ、利便性を向上させることができる。また、印刷ジョブを実行させる際、特殊印刷を試しに印刷させたり、実際に出力されるタブ紙を見てタブに対する印刷位置を調整したりすることもできる。
【００３７】
より具体的には、本実施の形態では、入力部４を介して印刷ジョブの実行指示がなされたとき、当該印刷ジョブに含まれる特殊印刷に関する印刷条件の変更入力を可能とした。また、特殊印刷に関する印刷条件を変更した後、特殊紙に対する試し印刷を可能とした。特に、試し印刷では、特殊紙だけに試し印刷するようにした。
【００３８】
このため、利用者は、プリンタ１を操作して印刷ジョブを実行すると同時にタブ紙に対する印刷条件の変更が可能となり、且つタブ紙に対する特殊印刷だけを少なくとも１枚だけ試し印刷した後に実際のタブ紙の印刷状態を確認して再度印刷条件の変更入力が可能となり、上述した従来の装置のように全ての用紙を試し印刷することなく、確実且つ効率的にタブ紙に対する印刷を実行できる。
【００３９】
尚、この発明は、上述した実施の形態に限定されるものではなく、この発明の範囲内で種々変形可能である。例えば、上述した各実施の形態では、タブ紙に対する印刷について説明したが、これに限らず、厚紙や他の国の紙などの特殊紙に対する印刷時に、本発明を適用することもできる。
【００４０】
また、上述した実施の形態では、“試し印刷”ボタン３１を入力したとき１枚目のタブ紙に対する印刷だけを実行するようにしたが、当該印刷ジョブに含まれる全てのタブ紙に対する印刷を実行するようにしても良い。この試し印刷の枚数は、プリンタ毎に予め設定しておけば良い。または、“試し印刷”ボタン３１の入力回数に応じて試し印刷する枚数を決定するようにしても良い。この場合、ボタン入力の間にタイムアウトを設けて、続けてボタンが押されたことをもって枚数をカウントするようにすれば良い。
【００４１】
さらに、図９の画面上に“試し印刷”ボタンを複数個設けて、入力ボタンに応じて試し印刷の枚数を変更可能としても良い。或いは、図９の画面上の“試し印刷”ボタン３１が入力された後、画面を切り換えて、試し印刷する枚数の入力を可能としても良い。
【００４２】
【発明の効果】
以上説明したように、この発明の画像形成装置は、上記のような構成および作用を有しているので、確実且つ効率良く特殊紙に対する画像形成ができる。
【図面の簡単な説明】
【図１】この発明の実施例に係るプリンタを複数台のパソコンとネットワーク接続した状態を示す概略図。
【図２】図１のプリンタの構成を示すブロック図。
【図３】図２のプリンタによる動作を説明するためのフローチャート。
【図４】図２のプリンタによる動作を説明するためのフローチャート。
【図５】図３の受信処理の各ステップを説明するためのフローチャート。
【図６】図４のステップ８の処理で表示される画面例を示す図。
【図７】図４のステップ９の処理で表示される画面例を示す図。
【図８】図４のステップ９の処理で表示される画面例を示す図。
【図９】図４のステップ１１の処理で表示される画面例を示す図。
【符号の説明】
１…プリンタ、
２…制御部、
３…表示部、
４…入力部、
５…受信部、
６…記憶部、
７…画像処理部、
８…印刷部、
９…給紙部、
１０…パソコン、
１１…操作パネル。
【図１】
2004025550.tif 000003
【図２】
2004025550.tif 000004
【図３】
2004025550.tif 000005
【図４】
2004025550.tif 000006
【図５】
2004025550.tif 000007
【図６】
2004025550.tif 000008
【図７】
2004025550.tif 000009
【図８】
2004025550.tif 000010
【図９】
2004025550.tif 000011